(57)【要約】【課題】ユーザーの必要に応じて種々の収納対象を効率的に収納できるキャビネットを提供する。【解決手段】開口部３１を有してなる収納スペース３と、該収納スペース３に収納対象を収納するトレイ４とを備えてなるキャビネットであって、前記トレイ４は、底面を貫通する貫通部４３と、係止部４１とを備え、前記収納スペース３は、突出受部３３と前記係止部４１と係止可能な係止受部３２とを備え、前記突出受部３３は、前記トレイ４を前記開口部３１側から奥行側に向う１方向で前記収納スペース３に係止する場合には、前記トレイ４の底面側から前記貫通部４３を覆う位置関係にあり、前記トレイ４を前記１方向から前後方向を逆転させて前記収納スペース３に係止する場合には、先端３２ａが前記貫通部４３の奥行側の先端４３ａと所定の距離を有する位置関係にある。【選択図】　図３
2004081479.tif 000002
【特許請求の範囲】
【請求項１】
開口部を有してなる収納スペースと、該収納スペースに収納対象を収納するトレイとを備えてなるキャビネットであって、
前記トレイは、底面を貫通する少なくとも１つの貫通部と、係止部とを備え、
前記収納スペースは、
突出受部と、前記係止部と係止可能な係止受部とを備え、
前記突出受部は前記トレイを前記開口部側から奥行側に向う１方向で前記収納スペースに係止する場合には、前記トレイの底面側から前記貫通部を覆う位置関係にあり、前記トレイを前記１方向から前後方向を逆転させて前記収納スペースに係止する場合には、先端が前記貫通部の奥行側の先端と所定の距離を有する位置関係にあり、
前記係止部と前記係止受部とを係止することにより、前記収納スペースの前記開口部側から奥行側に向う方向に対して前後入換自在かつ着脱自在に前記トレイを前記収納スペースに設置することを特徴とするキャビネット。
【請求項２】
前記係止部を前記トレイの側方に設けた請求項１に記載のキャビネット。
【請求項３】
前記係止受部を前記収納スペースの上下方向に複数設けた請求項１又は請求項２に記載のキャビネット。
【請求項４】
前記突出受部は、前記収納スペースの上下方向に複数箇所で係止可能である請求項１乃至請求項３にいずれかに記載のキャビネット。
【発明の詳細な説明】
【０００１】
【発明の属する技術分野】
本発明は、洗面化粧台等に取りつけるキャビネットに関するものである。
【０００２】
【従来の技術】
従来のキャビネットとしては、例えば特開平１１−９３６４号公報に記載のものを挙げることができる。このキャビネットは、上下に開口した略輪状の貫通部を有したトレイを備えており、このトレイに設けた貫通部にて、把持部を備えたドライヤー等の長物の収納対象を収納するものである。
【０００３】
【発明が解決しようとする課題】
ところが、上述のようなキャビネットにおいては、前述した貫通部は、予め長物の収納対象を収納するために設けたものであるため、ユーザーが、この貫通部に例えば長物ではない小物類を収納対象としたい場合には、この貫通部のスペースを収納スペースとして効率よく利用することができないので、更なる収納効率の向上が望まれていた。
【０００４】
本発明は上記問題点を改善するためになされたものであり、ユーザーの必要に応じて種々の収納対象を効率的に収納できるキャビネットを提供することを目的とするものである。
【０００５】
【課題を解決するための手段】
請求項１に記載のキャビネットは、図１にその一例を示すように、開口部３１を有してなる収納スペース３と、収納スペース３に収納対象を収納するトレイ４とを備えてなるキャビネットであって、トレイ４は、底面を貫通する少なくとも１つの貫通部４３と、係止部４１とを備え、収納スペース３は、突出受部３３と、係止部４１と係止可能な係止受部３２とを備え、突出受部３３はトレイ４を開口部３１側から奥行側に向う１方向で収納スペース３に係止する場合には、トレイ４の底面側から貫通部４３を覆う位置関係にあり、トレイ４を前記１方向から前後方向を逆転させて収納スペース３に係止する場合には、先端が貫通部４３の奥行側の先端と所定の距離を有する位置関係にあり、係止部４１と係止受部３２とを係止することにより、収納スペース３の開口部３１側から奥行側に向う方向に対して前後入換自在かつ着脱自在にトレイ４を収納スペース３に設置することを特徴とするものである。
【０００６】
また、請求項２に記載のキャビネットは、請求項１に記載のキャビネットにおいて、係止部４１をトレイ４の側方に設けたことを特徴とするものである。
【０００７】
また、請求項３に記載のキャビネットは、請求項１又は請求項２に記載の発明において、係止受部３２を収納スペース３の上下方向に複数設けたことを特徴とするものである。
【０００８】
また、請求項４に記載のキャビネットは、請求項１乃至請求項３に記載の発明において、突出受部３３は、収納スペース３の上下方向に複数箇所で係止可能であることを特徴とするものである。
【０００９】
【発明の実施の形態】
以下、本発明の実施形態を図１乃至図３に基づいて説明する。図１は、本発明の実施形態に係るキャビネットの一例であるミラーキャビネット１を示す斜視図であり、図２は、収納スペース３とトレイ４を詳細に示す斜視図であり、図３は、収納スペース３にトレイ４を設置した状態を示す断面図である。なお、以降、図１乃至図３に示すように、ミラーキャビネット１のミラー１２（１２ａ〜１２ｃ）側から奥行側へ向かう方向をＡ方向と称する。
【００１０】
ここで、本実施形態においては、図１に示すように、ミラーキャビネット１は、ミラーキャビネット本体１１と、前面に開閉扉を兼ねる例えば３つのミラー１２（１２ａ〜１２ｃ）と、前面に開口部３１とを備え、開口部３１側から奥行側であるＡ方向に向いミラーキャビネット本体１１に形成された収納スペース３と、収納スペース３に収納対象を収納する例えば３つのトレイ４とを備えている。なお、ミラーキャビネット本体１１の材質は、合成樹脂であり、ミラー１２（１２ａ〜１２ｃ）は、ヒンジ１００等を介してミラーキャビネット本体１１に開閉自在に取り付けられている。
【００１１】
ここで、本実施形態においては、収納スペース３は、例えば縦長直方体状のスペースを構成し、図１に示すように、側面３ａの開口部３１側である前面の端部から後面３ｂまで、Ａ方向に沿って側面３ａの対面部に略同じ高さで上下方向の例えば異なる３つの高さ位置にそれぞれ形成した溝状の凹部である係止受部３２と、後面３ｂに係止受部３２と略平行に収納スペース３に一体形成された例えば薄板状の突出受部３３を備えている。
【００１２】
また、トレイ４は、例えば図２に示すように、トレイ４の両側方に直線状に設けた凸状の係止部４１と、仕切り部４２と、底面を設けず上下に貫通した貫通部４３と、底面を有した収納部４４とを備えた略四角形状のものである。トレイ４は、材質には合成樹脂を用いており、各部一体形成されている。なお、トレイ４は、構成各部を個々に形成して接着剤等の固定手段にて一体化してもよい。
【００１３】
なお、本実施形態においては、図１に示すように、収納スペース３に設けた３組の係止受部３２の各々に対応するだけトレイ４を設けているが、必ずしも全組の係止受部３２に対応する数のトレイ４を準備する必要はなく、少なくとも１つのトレイ４を用いればよい。
【００１４】
ここで、トレイ４の係止部４１は、収納スペース３の係止受部３２と着脱自在に係止でき、また、Ａ方向に対してトレイ４の前後を入換自在にして収納スペース３に設置することができる。このため、ユーザーは、トレイ４を図３（ａ）に示すようにトレイ４の貫通部４３を後面３ｂ側に向けて設置することも、図３（ｂ）に示すように貫通部４３を開口部３１に向けて設置することもできる。
【００１５】
ここで、図３（ａ）に示すように、トレイ４の貫通部４３を後面３ｂ側に向けて、収納スペース３とトレイ４とを係止する場合には、トレイ４の底面側から貫通部４３を覆う位置関係になるように、突出受部３３のＡ方向の長さＬをトレイ４の貫通部４３のＡ方向の長さＭ以上とする。突出受部３３のＡ方向の長さＬを貫通部４３のＡ方向の長さＭ以上とすることで、突出受部３３が貫通部４３を塞ぎ、貫通部４３に底面がなくとも突出受部３３が底面の役割を果たすので、収納部４４だけでなく貫通部４３にも小物類５といった収納対象を収納することができる。
【００１６】
また、図３（ｂ）に示すように、トレイ４の貫通部４３を開口部３１側にして収納スペース３とトレイ４とを係止する場合には、突出受部３３はトレイ４の底面側から貫通部４３を覆わない、つまり、貫通部４３の奥行側の先端４３ａから突出受部３３の先端３３ａまでＡ方向に所定の距離を有するようにする。この場合、突出受部３３が貫通部４３を塞ぐとこはないので、ブラシ６等の長物の収納対象を効率的に収納することができる。
【００１７】
ここで、本実施形態においては、突出受部３３の幅は、収納スペース３の両側面３ａ間の距離とするが、トレイ４の貫通部４３の幅にあわせて任意の幅であってよい。また、突出受部３３の設置位置は、収納スペース３の係止受部３２とトレイ４の係止部４１とを係止したときに、トレイ４の底面と略面一になるようにすることが好ましい。
【００１８】
なお、図１に示すように、ミラーキャビネット１は、例えば、前面に開閉戸２１を設け、その内部に種々の収納物を収納するためのスペース（図示せず）に使用されたり、洗面ボウル２２からの排水を導く排水管（図示せず）や水栓２３に湯水を供給する給水・給湯管（図示せず）等を収納する箱体２４上に、陶器やステンレス等で形成した洗面ボウル２２を取りつけ、この洗面ボウル２２の近傍に水栓２３等を配置した洗面台２の後部上方に立設されている。
【００１９】
また、ミラーキャビネット１は、図１に示すように、上端には、例えば照明器具１３を取りつけるとともに、下端には洗面ボウル２２に設けた水栓２３の後方に位置する平板状の水返し部２５を形成し、水返し部２５の例えば両端に照明器具１３のスイッチ２６、コンセント２７等を配置しているが、ミラーキャビネット１としては、ミラー１２と、開口部３１側から奥行側であるＡ方向に向いミラーキャビネット本体１１に形成された収納スペース３と、収納スペース３に収納対象を収納するトレイ４を少なくとも備えていれば勿論よい。
【００２０】
なお、収納スペース３は、ミラー１２ａ〜１２ｃの裏面側各々に対して形成しても、ミラー１２ａ、１２ｃの裏面側だけに形成してもよく、また、図１において、ミラー１２ｂのみを開閉扉を兼ねて設け、ミラー１２ａ、１２ｃは設けず、収納スペース３及びトレイ４が直接露出するような構成であってもよい。また、ミラーキャビネット１のミラー１２数や、ミラーキャビネット本体１１に対するミラー１２の配置位置は、図１に示すような構成に限ったものではない。
【００２１】
かかるキャビネットにおいては、トレイ４の貫通部４３を後面３ｂ側に向け開口部３１側からＡ方向に収納スペース３とトレイ４とを係止させる場合には、突出受部３３がトレイ４の底面側から貫通部４３を覆う位置関係となるので、突出受部３３が貫通部４３を塞ぎ、貫通部４３に底面がなくとも突出受部３３が底面の役割を果たし、収納部４４だけでなく貫通部４３にも小物類５を収納することができる。また、Ａ方向に対してトレイ４の前後方向を逆転させて、トレイ４の貫通部４３を開口部３１側にして収納スペース３とトレイ４と係止させる場合には、突出受部３３はトレイ４の底面側から貫通部４３を覆わないような位置関係となるので、突出受部３３が貫通部４３を塞ぐとこはなく、長物６を収納することができる。このように、ユーザーは収納対象の種類に合わせて利用形態を選択できるので、収納対象を効率的に収納でき、収納効率が向上する。
【００２２】
また、係止部４１をトレイ４の側方に設けたので、トレイ４を前後に逆転して入換えても、係止部４１が直接露出することがなく、ミラーキャビネット１の外観は損われない。
【００２３】
また、係止受部３２を収納スペース３の上下方向に複数（本実施形態においては３組）設けたので、ユーザーは、好みの高さの位置にトレイ４を設置することができる。また、ユーザーは、収納対象が極端に長いときには上方にトレイを設置する等、収納対象の長さに応じて効率よく収納できる。
【００２４】
ここで、本実施形態においては、突出受部３３は、収納スペース３と一体形成しているが、ミラーキャビネット１と別々に形成して収納スペース３に固定するようにしてもよい。この場合、ユーザーは、例えば、突出受部３３に係止部（図示せず）を設け、収納スペース３に上下方向に複数の係止受部（図示せず）を設けて、収納スペース３に設けた複数の係止受部と突出受部３３に設けた係止部とを所望の上下方向の位置で係止させ、収納スペース３の上下方向に複数箇所で突出受部３３を係止可能となる。これにより、ユーザーは、トレイ４の位置に合わせて突出受部３３の設置位置を上下方向に移動できるので、上下方向に複数ある設置位置のいずれの高さにトレイ４を設置しても、トレイ４の２通りの使用方法が可能となる。
【００２５】
ここで、本実施形態においては、図２に示すように、仕切り部４２にてトレイ４を２つに仕切っているが、トレイ４には、少なくと１つの貫通部４３が設けられていればよく、例えばトレイ４内部を３つに仕切り、そのうちの１つを貫通部４３としたり、仕切り部４２を設けず底面の一部を貫通させて貫通部４３を形成するようにしてもよい。
【００２６】
また、本実施形態においては、図２に示すように、トレイ４に係止部４１を２個設けたが、トレイを収納スペースに設置できればよく、係止部４１は１個でも複数個でもよい。同様に、係止受部３２は収納スペース３に少なくとも１つ設けられていればよい。
【００２７】
なお、本実施形態においては、係止部４１は、トレイ４の側方に設けられた凸状部であり、係止部４１に係止される係止受部３２は、溝状の凹部であるが、係止部４１がトレイ４の側方に設けられた溝状の凹部であり、係止部４１に係止される係止受部３２が凸状部であってもよい。また、本実施形態においては、係止部４１と係止受部３２との係止は、図２に示すように凹凸部を利用した引出式のものであるが、収納スペース３とトレイ４が着脱自在に係止できればよく、例えば所望の係止受部３２と所望の係止部４１を用いてお互いを引っ掛けて係止するようにしてもよい。
【００２８】
また、本実施形態においては、トレイ４の材質及びミラーキャビネット本体１１の材質は合成樹脂であるが、その他、金属や木材等その他の種々の材質であってもよい。
【００２９】
また、本実施形態においては、キャビネットは、ミラー１２を例えば前面に備えたミラーキャビネット１であるが、ミラー１２を備えていないキャビネットであっても、キャビネットが、開口部３１側から奥行側に向う収納スペース３と、収納スペース３に収納対象を収納するトレイ４とを少なくとも備えていれば勿論よい。
【００３０】
【発明の効果】
上記のように、本願の請求項１に係る発明のキャビネットにおいては、開口部を有してなる収納スペースと、収納スペースに収納対象を収納するトレイとを備えてなるキャビネットであって、トレイは、底面を貫通する少なくとも１つの貫通部と、係止部とを備え、収納スペースは、突出受部と、係止部と係止可能な係止受部とを備え、突出受部はトレイを開口部側から奥行側に向う１方向で収納スペースに係止する場合には、トレイの底面側から貫通部を覆う位置関係にあり、トレイを前記１方向から前後方向を逆転させて収納スペースに係止する場合には、先端が貫通部の奥行側の先端と所定の距離を有する位置関係にあり、係止部と係止受部とを係止することにより、収納スペースの開口部側から奥行側に向う方向に対して前後入換自在かつ着脱自在にトレイを収納スペースに設置するので、貫通部を収納スペースの開口部側に向けてトレイを収納スペースに設置したときは、トレイの底面が上下に貫通しているため、ユーザーはブラシ等の長物の収納対象を効率よく収納でき、貫通部を奥行側に向けてトレイを収納スペースに設置したときは、突出受部が貫通部を塞ぐので、ユーザーは小物類といった収納対象も収納することができるという効果を奏する。このように、ユーザーは、必要に応じてトレイの利用形態を選択できるという効果を奏する。
【００３１】
また、請求項２に係る発明のキャビネットにおいては、請求項１に記載の発明において、　係止部をトレイの側方に設けたので、貫通部を収納スペース前面側に向けて設置した場合及び貫通部を奥行き側に向けて設置した場合、いずれにおいてもトレイの前面に係止部が露出しないため、トレイを設置してもキャビネットの外観を損ねることはないという効果を奏する。
【００３２】
また、請求項３に係る発明のキャビネットにおいては、請求項１又は請求項２に記載の発明において、係止受部を収納スペースの上下方向に複数設けたので、ユーザーは利用し易い好みの高さの位置にトレイを設置することができるという効果を奏する。また、ユーザーは、収納対象が長いときには上方にトレイを設置する等、収納対象の長さに応じて効率よく収納できるという効果を奏する。
【００３３】
また、請求項４に係る発明のキャビネットにおいては、請求項１乃至請求項３のいずれかに記載の発明において、突出受部は収納スペースの上下方向に複数箇所で係止可能であるので、ユーザーは、突出受部の設置位置を上下方向に移動でき、トレイを任意の高さに設置しても、長物収納用、小物類収納用いずれの使用方法も可能となるという効果を奏する。
【図面の簡単な説明】
【図１】本発明の実施形態に係るキャビネットを示す斜視図である。
【図２】本発明の実施形態に係る収納スペースとトレイを詳細に示す斜視図である。
【図３】本発明の実施形態に係る収納スペースにトレイを設置した状態を示す断面図である。
【符号の説明】
１　ミラーキャビネット
２　洗面台
３　収納スペース
３ａ　側面
３ｂ　後面
４　トレイ
１１　キャビネット本体
１２　（１２ａ〜１２ｃ）ミラー
３１　開口部
３２　　係止受部
３３　突出受部
３３ａ　先端
４１　係止部
４２　仕切り部
４３　貫通部
４３ａ　先端
４４　収納部
【図１】
2004081479.tif 000003
【図２】
2004081479.tif 000004
【図３】
2004081479.tif 000005